(57)【要約】本発明は、線画の鮮明性に優れ、かつ視覚的に優れた白色性を有するデジタル画像形成方法を提供する。本発明の画像形成方法は、ハロゲン化銀写真感光材料を露光、現像処理する画像形成方法において、該ハロゲン化銀写真感光材料が、下記一般式〔１〕で示される化合物を少なくとも１種含有し、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする。一般式〔１〕2004010216.tif 000017
2004010216.tif 000002
【特許請求の範囲】
【請求項１】
ハロゲン化銀写真感光材料を露光、現像処理する画像形成方法において、該ハロゲン化銀写真感光材料が、下記一般式〔１〕で示される化合物を少なくとも一種含有し、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする画像形成方法。
一般式〔１〕
2004010216.tif 000014
〔式中、Ｒ１、Ｒ２は各々−ＣＮ、−ＣＯＲ５、−ＣＯＯＲ６又は−ＣＯＮＲ７Ｒ８を表し、Ｒ３、Ｒ４は各々水素原子、アルキル基、シクロアルキル基、アリール基又はヘテロ環基を表し、Ｌ１、Ｌ２、Ｌ３は各々メチン基を表し、ｋは２を表し、各々−Ｌ２＝Ｌ３−は同一でも異なっていてもよい。Ｒ５、Ｒ６は水素原子、アルキル基又はアリール基を表す。Ｒ７、Ｒ８は各々水素原子、アルキル基、アルケニル基、アリール基又はヘテロ環基を表し、Ｒ７、Ｒ８と隣接の窒素原子とで５員環あるいは６員環を形成してもよい。ただし、Ｒ７とＲ８が同時に水素原子となることはない。又、Ｒ１、Ｒ２、Ｒ３、Ｒ４の少なくとも１個は水溶性基又は水溶性基を含む基である。〕
【請求項２】
ハロゲン化銀写真感光材料を露光、現像処理する画像形成方法において、露光が光ビームによる走査露光であり、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする画像形成方法。
【請求項３】
ハロゲン化銀写真感光材料を露光、現像処理する画像形成方法において、該ハロゲン化銀写真感光材料が、前記一般式〔１〕で示される化合物を少なくとも一種含有し、露光が光ビームによる走査露光であり、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする画像形成方法。
【請求項４】
前記ハロゲン化銀写真感光材料に含有されるゼラチンの総量が６．２／ｍ２以下であることを特徴とする請求の範囲第１項から第３項のいずれか１項に記載の画像形成方法。
【請求項５】
前記ハロゲン化銀写真感光材料が、下記一般式〔２〕で示される化合物を含有することを特徴とする請求の範囲第１項から第４項のいずれか１項に記載の画像形成方法。
一般式〔２〕
2004010216.tif 000015
〔式中、Ｒ５１はカルボンアミド基、アニリノ基を表し、Ｒ５２は置換基を有してもよいフェニル基を表す。〕
【請求項６】
前記ハロゲン化銀写真感光材料が、下記一般式〔３〕で示される化合物を含有することを特徴とする請求の範囲第１項から第５項のいずれか１項に記載の画像形成方法。
一般式〔３〕
2004010216.tif 000016
〔式中、ＲＡはアルキル基を表し、ＲＢはハロゲン原子又はアルコキシル基を表し、ＲＣは、−ＣＯＯＲＤ１、−ＣＯＯＲＤ２ＣＯＯＲＤ１、−ＮＨＣＯＲＤ２ＳＯ２ＲＤ１、−Ｎ（ＲＤ３）ＳＯ２ＲＤ１又は−ＳＯ２Ｎ（ＲＤ３）ＲＤ１を表す。ＲＤ１は、一価の有機基を表し、ＲＤ２は、アルキレン基を表し、ＲＤ３は、アルキル基、アラルキル基又は水素原子を表す。ＹＡは一価の有機基を表し、ｎは０又は１を表し、ＲＥ及びＲＦは各々水素原子又はアルキル基を表す。〕
【請求項７】
前記一般式〔１〕で示される化合物を含有し、かつ標準処理Ａを行った後の白色部が、ＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とするハロゲン化銀写真感光材料。
【請求項８】
前記一般式〔２〕で示される化合物を含有し、かつ標準処理Ａを行った後の白色部が、ＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とするハロゲン化銀写真感光材料。
【請求項９】
前記一般式〔３〕で示される化合物を含有し、かつ標準処理Ａを行った後の白色部が、ＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とするハロゲン化銀写真感光材料。
【発明の詳細な説明】
【技術分野】  本発明は、ハロゲン化銀写真感光材料の画像形成方法に関し、詳しくは、線画の画質の優れたハロゲン化銀写真感光材料とそれを用いた画像形成方法に関する。
【背景技術】  ハロゲン化銀写真感光材料（以下、単に感光材料ともいう）は、階調性に優れていること、高感度であることなどの理由により、広く用いられている。ハロゲン化銀写真感光材料は、露光、現像処理して画像形成されるが、露光方法としてネガフィルム画像を介してアナログ露光されることが多いが、一方で、レーザー走査露光に代表されるデジタル走査露光されることも、近年増えてきている。
特に、最近のデジタルカメラ等発達により、デジタル画像情報の出力方法が必要となってくるが、その一例として、ハロゲン化銀写真感光材料、インクジェットプリンターや昇華型プリンター等の方法が使用されている。このうち、ハロゲン化銀写真感光材料へのデジタル走査露光による画像形成では、安価に大量に高画質プリントできるというメリットを有している。更に、デジタル露光で画像形成した場合には、画像特性の調整、画像編集に加え、文字画像との合成が簡単に行えるというメリットもある。
しかしながら、デジタル露光でハロゲン化銀写真感光材料に、画像と文字情報との合成を行う場合、文字部画質、具体的には線画の鮮明性が劣化しやすいという問題があった。インクジェットによる画像形成した場合と異なり、ハロゲン化銀写真感光材料で画像形成する場合には、ハロゲン化銀や添加剤の特性が影響する。ハロゲン化銀写真感光材料では、使用するハロゲン化銀乳剤の階調特性の硬調化、あるいは着色染料により鮮鋭性が改良されるが、線画の鮮明性改良には不十分であった。
従って、本発明の第一の目的は、線画の鮮明性が優れたハロゲン化銀写真感光材料からの画像形成方法を提供することにある。
本発明の第二の目的は、視覚的にすぐれた白色性を有するデジタル画像形成方法を提供することにある。
【発明の開示】
本発明の上記目的は、下記の各々の構成により達成される。
（１）  ハロゲン化銀写真感光材料を露光、現像処理する画像形成方法において、該ハロゲン化銀写真感光材料が、下記一般式〔１〕で示される化合物を少なくとも一種含有し、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする画像形成方法。
一般式〔１〕
2004010216.tif 000003
〔式中、Ｒ１、Ｒ２は各々−ＣＮ、−ＣＯＲ５、−ＣＯＯＲ６又は−ＣＯＮＲ７Ｒ８を表し、Ｒ３、Ｒ４は各々水素原子、アルキル基、シクロアルキル基、アリール基又はヘテロ環基を表し、Ｌ１、Ｌ２、Ｌ３は各々メチン基を表し、ｋは２を表し、各々−Ｌ２＝Ｌ３−は同一でも異なっていてもよい。Ｒ５、Ｒ６は水素原子、アルキル基又はアリール基を表す。Ｒ７、Ｒ８は各々水素原子、アルキル基、アルケニル基、アリール基又はヘテロ環基を表し、Ｒ７、Ｒ８と隣接の窒素原子とで５員環あるいは６員環を形成してもよい。ただし、Ｒ７とＲ８が同時に水素原子となることはない。又、Ｒ１、Ｒ２、Ｒ３、Ｒ４の少なくとも１個は水溶性基又は水溶性基を含む基である。〕
（２）  ハロゲン化銀写真感光材料を露光、現像処理する画像形成方法において、露光が光ビームによる走査露光であり、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする画像形成方法。
（３）  ハロゲン化銀写真感光材料を露光、現像処理する画像形成方法において、該ハロゲン化銀写真感光材料が、前記一般式〔１〕で示される化合物を少なくとも一種含有し、露光が光ビームによる走査露光であり、かつ現像処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とする画像形成方法。
（４）  前記ハロゲン化銀写真感光材料に含有されるゼラチンの総量が６．２／ｍ２以下であることを特徴とする（１）〜（３）のいずれか１項に記載の画像形成方法。
（５）  前記ハロゲン化銀写真感光材料が、下記一般式〔２〕で示される化合物を含有することを特徴とする（１）〜（４）のいずれか１項に記載の画像形成方法。
一般式〔２〕
2004010216.tif 000004
〔式中、Ｒ５１はカルボンアミド基、アニリノ基を表し、Ｒ５２は置換基を有してもよいフェニル基を表す。〕
（６）  前記ハロゲン化銀写真感光材料が、下記一般式〔３〕で示される化合物を含有することを特徴とする（１）〜（５）のいずれか１項に記載の画像形成方法。
一般式〔３〕
2004010216.tif 000005
〔式中、ＲＡはアルキル基を表し、ＲＢはハロゲン原子又はアルコキシル基を表し、ＲＣは、−ＣＯＯＲＤ１、−ＣＯＯＲＤ２ＣＯＯＲＤ１、−ＮＨＣＯＲＤ２ＳＯ２ＲＤ１、−Ｎ（ＲＤ３）ＳＯ２ＲＤ１又は−ＳＯ２Ｎ（ＲＤ３）ＲＤ１を表す。ＲＤ１は、一価の有機基を表し、ＲＤ２は、アルキレン基を表し、ＲＤ３は、アルキル基、アラルキル基又は水素原子を表す。ＹＡは一価の有機基を表し、ｎは０又は１を表し、ＲＥ及びＲＦは各々水素原子又はアルキル基を表す。〕
（７）  前記一般式〔１〕で示される化合物を含有し、かつ標準処理Ａを行った後の白色部が、ＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とするハロゲン化銀写真感光材料。
（８）  前記一般式〔２〕で示される化合物を含有し、かつ標準処理Ａを行った後の白色部が、ＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とするハロゲン化銀写真感光材料。
（９）  前記一般式〔３〕で示される化合物を含有し、かつ標準処理Ａを行った後の白色部が、ＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０の範囲であることを特徴とするハロゲン化銀写真感光材料。
【発明を実施するための最良の形態】  本発明者らは、ハロゲン化銀写真感光材料で文字部の鮮明性を改良する画像形成方法を、種々検討した結果、特定の構成からなるハロゲン化銀写真感光材料について、処理後の白色部をＪＩＳ−Ｚ−８７２２で規定される測定方法に従い測定したＪＩＳ−Ｚ−８７３０で規定される知覚色度指数ａ及びｂが、それぞれ０．０〜＋２．０及び−２．２〜−４．０となるように画像形成した場合に、線画の鮮明性がよくなることを見出し本発明に至った次第である。ハロゲン化銀写真感光材料では、通常、白色部の知覚色度指数ａ及びｂは、それぞれ０．０〜２．０及び＋１．０〜−１．５となるように画像形成されることが多かったが、知覚色度指数ａ及びｂを、それぞれ０．０〜＋２．０及び−２．２〜−４．０とすることにより線画の鮮鋭性が良好となる。
更に、本発明では、一般式〔１〕で示される化合物、一般式〔２〕で示される化合物、または一般式〔３〕で示される化合物を使用することが好ましい。また、使用されるハロゲン化銀写真感光材料に塗設されているゼラチンの総量が６．０ｇ／ｍ２以下であることが好ましく、５．４ｇ／ｍ２以下である場合に特に好ましい。
以下、本発明の詳細について説明する。
本発明で規定する知覚色度指数ａ及びｂとは、ＣＩＥＬＡＢ（Ｃｏｍｍｉｓｓｉｏｎ  Ｉｎｔｅｒｎａｔｉｏｎａｌｅ  ｄｅ  １“Ｅｃｈａｉｒａｇｅ”奨励のＬ＊、ａ＊、ｂ＊色彩系略語）による明度指数Ｌ、知覚色度指数ａ及びｂであり、詳細は「新編  色彩科学ハンドブック（日本色彩学会編）２６７ページ」のＣＩＥＬ＊ａ＊ｂ＊の項目に記載されている。
指数ａ及びｂとしては、ａが０．０〜＋２．０、かつｂが−２．２〜−４．０であることが本発明の特徴であるが、ａが０．０〜＋１．５、かつｂが−２．５〜−３．５であることがより好ましく、ａが０．３〜＋１．５、かつｂが−２．８〜−３．４であることがさらに好ましい。
次に、本発明に係る前記一般式〔１〕で示される化合物について説明する。
本発明に係る一般式〔１〕で表される染料は、ジオキソピラゾロピリジン化合物を適当なモノメチン源、トリメチン源、ペンタメチン源化合物と反応させることにより合成することができ、具体的には、特公昭３９−２２０６９号、同４３−３５０４号、同５２−３８０５６号、同５４−３８１２９号、同５５−１００５９号、特開昭４９−９９６２０号、同５９−１６８３４号あるいは米国特許４，１８１，２２５号などに記載されている方法を用いて合成することができる。
次に、前記一般式〔１〕で示される化合物について説明する。Ｒ３〜Ｒ８で表されるアルキル基としては、例えば、メチル、エチル、プロピル、イソプロピル、ブチル、ｔ−ブチル等の各基が挙げられ、該アルキル基は更に置換基を有するものを含み、置換基としては、例えば、ヒドロキシル基、スルホ基、カルボキシル基、ハロゲン原子（例えば、弗素、塩素、臭素等）、アルコキシ基（例えば、メトキシ、エトキシ等）、アリールオキシ基（例えば、フェノキシ、４−スルホフェノキシ、２，４−ジスルホフェノキシ等）、アリール基（例えば、フェニル、４−スルホフェニル、２，５−ジスルホフェニル等）、シアノ基、アルコキシカルボニル基（例えば、メトキシカルボニル）等が挙げられる。
Ｒ３〜Ｒ８で表されるアリール基としては、例えば、フェニル基、ナフチル基が挙げられ、該アリール基は、置換基を有するものを含む。置換基を有するアリール基としては、２−メトキシフェニル、４−ニトロフェニル、３−クロロフェニル、４−シアノフェニル、４−ヒドロキシフェニル、４−メタンスルホニルフェニル、４−スルホフェニル、３−スルホフェニル、２−メチル−４−スルホフェニル、２−クロロ−４−スルホフェニル、４−クロロ−３−スルホフェニル、２−クロロ−５−スルホフェニル、２−メトキシ−５−スルホフェニル、２−ヒドロキシ−４−スルホフェニル、２，５−ジクロロ−４−スルホフェニル、２，６−ジエチル−４−スルホフェニル、２，５−ジスルホフェニル、３，５−ジスルホフェニル、２，４−ジスルホフェニル、４−フェノキシ−３−スルホフェニル、２−クロロ−６−メチル−４−スルホフェニル、３−カルボキシ−２−ヒドロキシ−５−スルホフェニル、４−カルボキシフェニル、２，５−ジカルボキシフェニル、３，５−ジカルボキシフェニル、２，４−ジカルボキシフェニル、３，６−ジスルホ−α−ナフチル、８−ヒドロキシ−３，６−ジスルホ−α−ナフチル、５−ヒドロキシ−７−スルホ−β−ナフチル、６，８−ジスルホ−β−ナフチル等が挙げられる。
Ｒ７、Ｒ８で表されるアルケニル基としては、ビニル基、アリル基等が挙げられ、該アルケニル基は置換基を有するものを含む。
Ｒ３、Ｒ４、Ｒ７、Ｒ８で表されるヘテロ環基としては、例えば、ピリジル基（例えば、２−ピリジル、３−ピリジル、４−ピリジル、５−スルホ−２−ピリジル、５−カルボキシ−２−ピリジル、３，５−ジクロロ−２−ピリジル、４，６−ジメチル−２−ピリジル、６−ヒドロキシ−２−ピリジル、２，３，５，６−テトラフルオロ−４−ピリジル、３−ニトロ−２−ピリジル等）、オキサゾリル基（例えば、５−スルホ−２−ベンゾオキサゾリル、２−ベンゾオキサゾリル、２−オキサゾリル等）、チアゾリル基（例えば、５−スルホ−２−ベンゾチアゾリル、２−ベンゾチアゾリル、２−チアゾリル等）、イミダゾリル基（例えば、１−メチル−２−イミダゾリル、１−メチル−５−スルホ−２−ベンゾイミダゾリル等）、フリル基（例えば、３−フリル等）、ピロリル基（例えば、３−ピロリル等）、チエニル基（例えば、２−チエニル等）、ピラジニル基（例えば、２−ピラジニル等）、ピリミジニル基（例えば、２−ピリミジニル、４−クロロ−２−ピリミジニル等）、ピリダジニル基（例えば、２−ピリダジニル等）、プリニル基（例えば、８−プリニル等）、イソオキサゾリニル基（例えば、３−イソオキサゾリニル等）、セレナゾリル基（例えば、５−スルホ−２−セレナゾリル等）、スルホラニル（例えば、３−スルホラニル等）、ピペリジニル基（例えば、１−メチル−３−ピペリジニル等）、ピラゾリル（例えば、３−ピラゾリル等）、テトラゾリル基（例えば、１−テトラゾリル等）等が挙げられる。
Ｒ３、Ｒ４で表されるシクロアルキル基としては、シクロベンチル、シクロヘキシル等の各基が挙げられ、該シクロアルキル基は置換基を有するものを含む。
Ｌ１〜Ｌ３で表されるメチン基は、置換基（例えば、アルキル基、アリール基等）を有するものを含む。
Ｒ７、Ｒ８が結合して窒素原子と共に形成する５〜６員環としては、例えば、ピロリジン、ピペラジン、ピペリジン、モルホリン等が挙げられる。
Ｒ１〜Ｒ４の少くとも１つが有する水溶性基としては、例えば、スルホ基、カルボキシル基、スルホラニル基等が挙げられ、該水溶性基は、ナトリウム塩、カリウム塩等の塩を含む。
本発明に係る一般式〔１〕で表される化合物の具体例としては、特開平５−３０７２３９号公報明細書の４頁〜８頁に記載のＮｏ．１−１〜１−３２で示される化合物が挙げられる。
一般式〔１〕で示される化合物のうち、好ましい化合物はＲ１、Ｒ２がそれぞれアルキルカルボニル基、アルコキシカルボニル基である化合物であり、さらに好ましくは、アルキルカルボニル基である化合物である。特に好ましい化合物の具体例は、前出の公報明細書に記載の例示化合物Ｎｏ．１−７が挙げられる。
本発明において、より効果を発揮するハロゲン化銀写真感光材料は、マゼンタカプラーとして４当量の５−ピラゾロンマゼンタカプラーを含有するものであり、特に、前記一般式〔２〕で示される４当量の５−ピラゾロンマゼンタカプラーを含有するものである。
以下、本発明に係る一般式〔２〕で示される化合物の詳細について説明する。
前記一般式〔２〕において、Ｒ５１はカルボンアミド基、アニリノ基を表し、Ｒ５２は置換基を有してもよいフェニル基を表す。一般式〔２〕のカプラーの中でも、特にカルボンアミド基を有するものが好ましい。これらのカプラーはポリマーカプラーであってもよい。４当量の５−ピラゾロンマゼンタカプラーとしては、公知のものを用いることができる。例えば、特公平５−８４１５号公報第１２頁〜第２１頁に記載された４当量マゼンタカプラー（Ｍ−１）〜（Ｍ−３８）を挙げることができる。
次に、本発明に係る一般式〔３〕で示される化合物の詳細について説明する。
前記一般式〔３〕において、ＲＡで表されるアルキル基としては、直鎖、分岐又は環状のアルキル基、例えばメチル基、エチル基、ｉ−プロピル基、ｔ−ブチル基、ドデシル基、１−ヘキシルノニル基、シクロプロピル基、シクロヘキシル基、アダマンチル基等を挙げることができる。
これらアルキル基は更に置換されていてもよく、その置換基としては、例えば、ハロゲン原子（塩素原子、臭素原子等）、アリール基（例えば、フェニル基、ｐ−ｔ−オクチルフェニル基等）、アルコキシル基（例えばメトキシ基等）、アリールオキシ基（例えば、２，４−ジ−ｔ−ペンチルフェノキシ基等）、スルホニル基（例えば、メタンスルホニル基等）、アシル基（例えば、アセチル基、ベンゾイル基等）、スルホニルアミノ基（例えば、ドデカンスルホニルアミノ基等）、ヒドロキシル基等が挙げられる。
ＲＡとしては、分岐アルキル基が好ましく、ｔ−ブチル基が特に好ましい。ＲＢで表されるアルコキシル基としては、直鎖、分岐のアルコキシル基、例えば、メトキシ基、エトキシ基、１−メチルエチルオキシ基、ｔ−ブチルオキシ基、ドデシルオキシ基、１−ヘキシルノニルオキシ基等を挙げることができる。中でもメトキシ基が好ましい。
ＲＢで表されるハロゲン原子としては、例えば、塩素原子、臭素原子、フッ素原子を挙げることができるが、塩素原子が好ましい。
ＲＣで表される−ＣＯＯＲＤ１、−ＣＯＯＲＤ２ＣＯＯＲＤ１、−ＮＨＣＯＲＤ２ＳＯ２ＲＤ１、−Ｎ（ＲＤ３）ＳＯ２ＲＤ１又は−ＳＯ２Ｎ（ＲＤ３）ＲＤ１において、ＲＤ１で表される一価の有機基としては、耐拡散基としての機能を有する基が好ましく、例えば、炭素数１０以上の直鎖又は分岐のアルキル基（例えば、ドデシル基、オクタデシル基等）又はアリール基（２，４−ジペンチルフェニル基等）等が好ましく、更に好ましくは炭素数１４以上の直鎖又は分岐のアルキル基が好ましい。ＲＤ２で表されるアルキレン基としては、例えば、プロピレン基、トリメチレン基等が好ましい。ＲＤ３で表されるアルキル基としては、直鎖、分岐のアルキル基、例えば、メチル基、エチル基、ｉ−プロピル基等が好ましく、アラルキル基としては、例えば、ベンジル基等を挙げることができる。ＲＣとしては、−ＣＯＯＲＤ１基が好ましい。
ＲＥ及びＲＦで表されるアルキル基としては、炭素数１〜１０の直鎖、分岐のアルキル基、例えば、メチル基、エチル基、プロピル基、ｉ−プロピル基、ブチル基、ヘキシル基等が挙げられ、メチル基が特に好ましい。
ＹＡで表される一価の有機基としては、例えば、アルキル基（例えば、エチル基，ｉ−プロピル基、ｔ−ブチル基等）、アルコキシル基（例えば、メトキシ基等）、アリールオキシ基（例えば、フェニルオキシ基等）、アシルオキシ基（例えば、メチルカルボニルオキシ基、ベンゾイルオキシ基等）、アシルアミノ基（例えば、アセトアミド基、フェニルカルボニルアミノ基等）、カルバモイル基（例えば、Ｎ−メチルカルバモイル基、Ｎ−フェニルカルバモイル基等）、アルキルスルホニルアミノ基（例えば、エチルスルホニルアミノ基等）、アリールスルホニルアミノ基（例えば、フェニルスルホニルアミノ基等）、スルファモイル基（例えば、Ｎ−プロピルスルファモイル基、Ｎ−フェニルスルファモイル基等）、イミド基（例えば、コハク酸イミド基、グルタルイミド基など）等が挙げられる。
一般式〔３〕で表されるイエロー発色カプラーは、従来公知の方法により合成することができる。また、一般式〔３〕で表される化合物を２種以上用いる、あるいは本発明の効果を損ねない範囲において、一般式〔３〕で表されるカプラーとその他のカプラーとを組み合わせて用いてもよい。
本発明においては、ハロゲン化銀写真感光材料中のイエロー発色カプラーの塗布量は０．５０×１０−３〜１．１０×１０−３モル／ｍ２であることが好ましく、特に好ましくは０．６０×１０−３〜１．００×１０−３モル／ｍ２が好ましい。ここでいうカプラーの塗布量とは、何れもイエロー発色カプラーの総量を意味しており、一般式〔３〕で表される化合物のみの含有量ではない。
上記一般式〔３〕で表される化合物の中で、好ましい化合物はＲＣがエステル連結基を有する化合物である。
一般式〔３〕で表される化合物の具体的な例としては、特開平１０−１４２７５６号公報の段落番号（００４７）〜同（００４８）に記載の化合物Ｉ−１〜Ｉ−２３で示される化合物が挙げられる。
次に、本発明に係る光ビームによる走査露光について説明する。
本発明において、光ビームによる走査露光は、通常、光ビームによる線状露光（ラスター露光：主走査）と、この線状露光方向に対して垂直方向への感光材料の相対的な移動（副走査）の組み合わせで行われることが一般的である。例えば、円筒状のドラムの外周あるいは内周に感光材料を固定し、光ビームを照射しながらドラムを回転させることで主走査を行うと同時に、光源をドラムの回転方向に対して垂直に移動させることで副走査を行う方式（ドラム方式）や、回転させたポリゴンミラーに光ビームを照射することで反射ビームをポリゴンミラーの回転方向と水平に走査（主走査）するとともに、感光材料をポリゴンの回転方向に対して垂直に搬送することで副走査を行う方式（ポリゴン方式）等が多く用いられている。また、露光する感光材料の幅以上に光源をアレイ状に並べた露光装置を用いる場合には、主走査に相当する部分をアレイ状光源で代用したと捉えることができ、本発明の走査露光に含めて考えることができる。
本発明に用いることができる光源の種類としては、発光ダイオード（ＬＥＤ）、ガスレーザー、半導体レーザー（ＬＤ）、ＬＤあるいはＬＤを励起光源として用いた固体レーザーと第２高調波変化素子（いわゆるＳＨＧ素子）との組み合わせ等、公知の光源をいずれも用いることができる。
本発明における更に好ましい形態は、ハロゲン化銀写真感光材料を露光、現像処理する画像形成方法において、露光が光ビームによる走査露光であり、かつ該ハロゲン化銀写真感光材料が、前記一般式〔１〕で示される化合物、前記一般式〔２〕で示される化合物、または前記一般式〔３〕で示される化合物の少なくとも１種を含有し、かつ処理後の白色部をＪＩＳ−Ｚ−８７２２で規定される測定方法に従い測定した、ＪＩＳ−Ｚ−８７３０で規定される知覚色度指数ａ及びｂが、それぞれ０．０〜＋２．０及び−２．２〜−４．０であることを特徴とする画像形成方法である。
次に、本発明に係るゼラチン塗設総量について説明する。ハロゲン化銀写真感光材料に含有されるゼラチンの総量は、６．２ｇ／ｍ２以下が好ましいが、より好ましくは５．７ｇ／ｍ２以下である。
次に、請求項６〜８に係る標準処理Ａについて説明する。本発明で定義する標準処理Ａとは、自動現像機としてコニカ（株）製のＮＰＳ−８６８Ｊを使用し、処理ケミカルとしてＥＣＯＪＥＴ−Ｐを使用し、プロセス名ＣＰＫ−２−Ｊ１に従ってランニング処理を行うことを表す。
本発明のハロゲン化銀写真感光材料に使用できる上記説明した以外の構成要素、例えば、ハロゲン化銀写真乳剤、乳剤添加剤、増感方法、カブリ防止剤、安定剤、イラジエーション防止染料、蛍光増白剤、イエローカプラー、マゼンタカプラー、シアンカプラー、分光増感色素、乳化分散法、界面活性剤、色濁りを防止剤、バインダー、硬膜剤、滑り剤やマット剤、支持体、青味付剤や赤味付剤、塗布方法、露光方法、発色現像主薬、処理方法、現像処理装置、処理剤などは、例えば、特開平１１−３４７６１５号公報明細書９頁左２２行目の段落番号００４４〜１４頁左１７行目の段落番号０１０６に記載の各化合物及び方法を用いることができる。
次いで、実施例を挙げて本発明を具体的に説明するが、本発明の実施態様はこれらに限定されるものではない。
【実施例１】（試料１０１の作製）
坪量１８０ｇ／ｍ２の紙パルプの両面に高密度ポリエチレンをラミネートし、紙支持体を作製した。但し、乳剤層を塗布する側には、表面処理を施したアナターゼ型酸化チタンを１５質量％の含有量で分散して含む溶融ポリエチレンをラミネートし、反射支持体を作製した。この反射支持体をコロナ放電処理した後、ゼラチン下塗層を設け、さらに以下に示す構成の各層を塗設して、ハロゲン化銀写真感光材料である試料１０１を作製した。硬膜剤としては、Ｈ−１、Ｈ−２、防腐剤としては、Ｆ−１を使用した。
［試料１０１の構成］
第７層（保護層）                                      ｇ／ｍ２
ゼラチン                                              １．００
ＤＢＰ                                                ０．００２
ＤＩＤＰ                                              ０．００２
二酸化珪素                                            ０．００３
第６層（紫外線吸収層）
ゼラチン                                              ０．４０
紫外線吸収剤（ＵＶ−１）                              ０．０８４
紫外線吸収剤（ＵＶ−２）                              ０．０２７
紫外線吸収剤（ＵＶ−３）                              ０．１１４
ステイン防止剤（ＨＱ−５）                            ０．０４
ＰＶＰ                                                ０．０３
第５層（赤感性層）
ゼラチン                                              １．３０
赤感性塩臭化銀乳剤（Ｅｍ−Ｒ）                        ０．２１
シアンカプラー（Ｃ−１）                              ０．２５
シアンカプラー（Ｃ−２）                              ０．０８
色素画像安定化剤（ＳＴ−１）                          ０．１０
ステイン防止剤（ＨＱ−１）                            ０．００４
ＤＢＰ                                                ０．１０
ＤＯＰ                                                ０．２０
第４層（紫外線吸収層）
ゼラチン                                              ０．９４
紫外線吸収剤（ＵＶ−１）                              ０．１９６
紫外線吸収剤（ＵＶ−２）                              ０．０６３
紫外線吸収剤（ＵＶ−３）                              ０．２６６
ステイン防止剤（ＨＱ−５）                            ０．１０
第３層（緑感性層）
ゼラチン                                              １．３０
ＡＩ−４                                              ０．０１
緑感性塩臭化銀乳剤（Ｅｍ−Ｇ）                        ０．１４
マゼンタカプラー（Ｍ−１）                            ０．２０
色素画像安定化剤（ＳＴ−３）                          ０．２０
色素画像安定化剤（ＳＴ−４）                          ０．１７
ＤＩＤＰ                                              ０．１３
ＤＢＰ                                                ０．１３
第２層（中間層）
ゼラチン                                              １．２０
ＡＩ−３                                              ０．０１
ステイン防止剤（ＨＱ−２）                            ０．０３
ステイン防止剤（ＨＱ−３）                            ０．０３
ステイン防止剤（ＨＱ−４）                            ０．０５
ステイン防止剤（ＨＱ−５）                            ０．２３
ＤＩＤＰ                                              ０．０４
ＤＢＰ                                                ０．０２
蛍光増白剤（Ｗ−１）                                  ０．１０
第１層（青感性層）
ゼラチン                                              １．２０
青感性塩臭化銀乳剤（Ｅｍ−Ｂ）                        ０．２６
イエローカプラー（Ｙ−１）                            ０．７０
色素画像安定化剤（ＳＴ−１）                          ０．１０
色素画像安定化剤（ＳＴ−２）                          ０．１０
ステイン防止剤（ＨＱ−１）                            ０．０１
色素画像安定化剤（ＳＴ−５）                          ０．１０
画像安定剤Ａ                                          ０．１５
ＤＮＰ                                                ０．０５
ＤＢＰ                                                ０．１５
支持体：ポリエチレンラミネート紙（微量の着色剤を含有）
なお、上記の各ハロゲン化銀乳剤の添加量は、銀に換算して表示した。
以下に、上記試料１０１の作製に用いた各添加剤の詳細を示す。
ＤＢＰ  ：ジブチルフタレート
ＤＮＰ  ：ジノニルフタレート
ＤＯＰ  ：ジオクチルフタレート
ＤＩＤＰ：ジ−ｉ−デシルフタレート
ＰＶＰ  ：ポリビニルピロリドン
Ｈ−１  ：テトラキス（ビニルスルホニルメチル）メタン
Ｈ−２  ：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ〔（１，１−ジメチル−４−ヘキシルオキシカルボニル）ブチル〕ハイドロキノン
画像安定剤Ａ：Ｐ−ｔ−オクチルフェノール
2004010216.tif 000006
2004010216.tif 000007
2004010216.tif 000008
〔青感性ハロゲン化銀乳剤の調製〕
４０℃に保温した２％ゼラチン水溶液１リットル中に下記（Ａ液）及び（Ｂ液）をｐＡｇ＝７．３、ｐＨ＝３．０に制御しつつ３０分かけて同時添加し、更に下記（Ｃ液）及び（Ｄ液）をｐＡｇ＝８．０、ｐＨ＝５．５に制御しつつ１８０分かけて同時添加した。この時、ｐＡｇの制御は特開昭５９−４５４３７号記載の方法により行い、ｐＨの制御は硫酸又は水酸化ナトリウム水溶液を用いて行った。
（Ａ液）
塩化ナトリウム                                        ３．４２ｇ
臭化カリウム                                          ０．０３ｇ
水を加えて                                            ２００ｍｌ
（Ｂ液）
硝酸銀                                                １０ｇ
水を加えて                                            ２００ｍｌ
（Ｃ液）
塩化ナトリウム                                        １０２．７ｇ
Ｋ２ＩｒＣｌ６                              ４×１０−８モル／モルＡｇ
Ｋ４Ｆｅ（ＣＮ）６                          ２×１０−５モル／モルＡｇ
臭化カリウム                                          １．０ｇ
水を加えて                                            ６００ｍｌ
（Ｄ液）
硝酸銀                                                ３００ｇ
水を加えて                                            ６００ｍｌ
添加終了後、花王アトラス社製デモールＮの５％水溶液と硫酸マグネシウムの２０％水溶液を用いて脱塩を行った後、ゼラチン水溶液と混合して平均粒径０．７１μｍ、粒径分布の変動係数０．０７、塩化銀含有率９９．５モル％の単分散立方体乳剤ＥＭＰ−１を得た。次に（Ａ液）と（Ｂ液）の添加時間および（Ｃ液）と（Ｄ液）の添加時間を変更した以外はＥＭＰ−１と同様にして平均粒径０．６４μｍ、粒径分布の変動係数０．０７、塩化銀含有率９９．５モル％の単分散立方体乳剤ＥＭＰ−１Ｂを得た。
上記ＥＭＰ−１に対し、下記化合物を用い６０℃にて最適に化学増感を行った。また、ＥＭＰ−１Ｂに対しても同様に最適に化学増感した後、増感されたＥＭＰ−１とＥＭＰ−１Ｂを銀量で１：１の割合で混合し、青感性ハロゲン化銀乳剤（Ｅｍ−Ｂ）を得た。
チオ硫酸ナトリウム                          ０．８ｍｇ／モルＡｇＸ
塩化金酸                                    ０．５ｍｇ／モルＡｇＸ
安定剤：ＳＴＡＢ−１                  ３×１０−４モル／モルＡｇＸ
安定剤：ＳＴＡＢ−２                  ３×１０−４モル／モルＡｇＸ
安定剤：ＳＴＡＢ−３                  ３×１０−４モル／モルＡｇＸ
増感色素：ＢＳ−１                    ４×１０−４モル／モルＡｇＸ
増感色素：ＢＳ−２                    １×１０−４モル／モルＡｇＸ
〔緑感性ハロゲン化銀乳剤の調製〕
（Ａ液）と（Ｂ液）の添加時間及び（Ｃ液）と（Ｄ液）の添加時間を変更する以外はＥＭＰ−１と同様にして平均粒径０．４０μｍ、変動係数０．０８、塩化銀含有率９９．５％の単分散立方体乳剤ＥＭＰ−２を得た。次に、（Ａ液）と（Ｂ液）の添加時間及び（Ｃ液）と（Ｄ液）の添加時間を変更する以外はＥＭＰ−１と同様にして、平均粒径０．５０μｍ、変動係数０．０８、塩化銀含有率９９．５％の単分散立方体乳剤ＥＭＰ−２Ｂを得た。
上記ＥＭＰ−２に対し、下記化合物を用い５５℃にて最適に化学増感を行った。またＥＭＰ−２Ｂに対しても同様に最適に化学増感した後、増感されたＥＭＰ−２とＥＭＰ−２Ｂを銀量で１：１の割合で混合し、緑感性ハロゲン化銀乳剤（Ｅｍ−Ｇ）を得た。
チオ硫酸ナトリウム                          １．５ｍｇ／モルＡｇＸ
塩化金酸                                    １．０ｍｇ／モルＡｇＸ
安定剤：ＳＴＡＢ−１                  ３×１０−４モル／モルＡｇＸ
安定剤：ＳＴＡＢ−２                  ３×１０−４モル／モルＡｇＸ
安定剤：ＳＴＡＢ−３                  ３×１０−４モル／モルＡｇＸ
増感色素：ＧＳ−１                    ４×１０−４モル／モルＡｇＸ
〔赤感性ハロゲン化銀乳剤の調製〕
（Ａ液）と（Ｂ液）の添加時間及び（Ｃ液）と（Ｄ液）の添加時間を変更する以外はＥＭＰ−１と同様にして平均粒径０．４０μｍ、変動係数０．０８、塩化銀含有率９９．５％の単分散立方体乳剤ＥＭＰ−３を得た。また平均粒径０．３８μｍ、変動係数０．０８、塩化銀含有率９９．５％の単分散立方体乳剤ＥＭＰ−３Ｂを得た。
上記ＥＭＰ−３に対し、下記化合物を用い６０℃にて最適に化学増感を行った。またＥＭＰ−３Ｂに対しても同様に最適に化学増感した後、増感されたＥＭＰ−３とＥＭＰ−３Ｂを銀量で１：１の割合で混合し赤感性ハロゲン化銀乳剤（Ｅｍ−Ｒ）を得た。
チオ硫酸ナトリウム                          １．８ｍｇ／モルＡｇＸ
塩化金酸                                    ２．０ｍｇ／モルＡｇＸ
安定剤：ＳＴＡＢ−１                  ３×１０−４モル／モルＡｇＸ
安定剤：ＳＴＡＢ−２                  ３×１０−４モル／モルＡｇＸ
安定剤：ＳＴＡＢ−３                  ３×１０−４モル／モルＡｇＸ
増感色素：ＲＳ−１                    １×１０−４モル／モルＡｇＸ
増感色素：ＲＳ−２                    １×１０−４モル／モルＡｇＸ
ＳＴＡＢ−１：１−（３−アセトアミドフェニル）−５−メルカプトテトラゾール
ＳＴＡＢ−２：１−フェニル−５−メルカプトテトラゾール
ＳＴＡＢ−３：１−（４−エトキシフェニル）−５−メルカプトテトラゾール
また、赤感性乳剤には、ＳＳ−１をハロゲン化銀１モル当り２．０×１０−３モル添加した。
上記各色感性乳剤の調製に用いた各添加剤の詳細を、以下に示す。
2004010216.tif 000009
2004010216.tif 000010
このようにして、作製した試料を試料１０１とする。
（試料１０２〜１１１の作製）
上記試料１０１の作製において、第２層の蛍光増白剤（Ｗ−１）の添加量及び微量の着色剤を使用して、知覚色度指数ａ値及びｂ値を適宜調整すると共に、第５層に本発明に係る一般式〔１〕で示される化合物を０．０３ｇ／ｍ２使用し、更に各層のゼラチン添加量を同一比率で変化させた以外は同様にして、下記表に記載の構成からなる試料１０２〜１１１を作製した。
（試料１１２の作製）
上記試料１１１において、第３層で用いるマゼンタカプラーを、ＭＣ−１に変更し、かつ塗設銀量を２倍に変更した以外は同様にして、試料１１２を作製した。
（試料１１３の作製）
上記試料１１２の作製において、第１層のイエローカプラーを、ＹＣ−１に変更した以外は同様にして、試料１１３を作製した。
上記作製した試料１０１〜１１３の詳細を、下表に示す。
2004010216.tif 000011
また、ＡＩ−１、ＡＩ−２、ＭＣ−１及びＹＣ−１の詳細を、以下に示す。
2004010216.tif 000012
（各試料の評価）
このようにして作製した各試料に、以下のような走査露光、処理を行った。走査露光は、光源として半導体レーザー（発振波長６５０ｎｍ）、Ｈｅ−Ｎｅガスレーザー（発振波長５４４ｎｍ）、Ａｒガスレーザー（発振波長４５８ｎｍ）を用い、画像データに基づき各々のレーザービームに対してＡＯＭにより光量を変調しながら、ポリゴンに反射させて、感光材料上に主走査を行うと同時に、主走査方向に対して垂直方向に感光材料を搬送して（副走査）行った。この時、ビーム径はＢＧＲ各々１００μｍであることを、ビームモニターを用いて確認した。次に、下記現像処理工程により現像処理を行い、文字入り画像のカラープリントを作成した。
処理工程        処  理  温  度        時間        補充量
発色現像      ３８．０±０．３℃      ４５秒      ８０ｍｌ／ｍ２
漂白定着      ３５．０±０．５℃      ４５秒    １２０ｍｌ／ｍ２
安  定  化    ３０〜３４℃            ６０秒    １５０ｍｌ／ｍ２
乾    燥      ６０〜８０℃            ３０秒
現像処理液の組成を下記に示す。
〔発色現像液タンク液及び補充液〕          タンク液        補充液
純水                                      ８００ｍｌ    ８００ｍｌ
トリエチレンジアミン                            ２ｇ          ３ｇ
ジエチレングリコール                          １０ｇ        １０ｇ
臭化カリウム                              ０．０１ｇ          −
塩化カリウム                                ３．５ｇ          −
亜硫酸カリウム                            ０．２５ｇ      ０．５ｇ
Ｎ−エチル−Ｎ−（β−メタンスルホンアミドエチル）−３−メチル−４
−アミノアニリン硫酸塩                  ６．０ｇ    １０．０ｇ
Ｎ，Ｎ−ジエチルヒドロキシルアミン          ６．８ｇ      ６．０ｇ
トリエタノールアミン                      １０．０ｇ    １０．０ｇ
ジエチレントリアミン五酢酸五ナトリウム塩    ２．０ｇ      ２．０ｇ
蛍光増白剤（４，４′−ジアミノスチルベンジスルホン酸誘導体）
２．０ｇ      ２．５ｇ
炭酸カリウム                                  ３０ｇ        ３０ｇ
水を加えて全量を１リットルとし、タンク液はｐＨ＝１０．１０に、補充液はｐＨ＝１０．６０に調整する。
〔漂白定着液タンク液及び補充液〕
ジエチレントリアミン五酢酸第二鉄アンモニウム２水塩          ６５ｇ
ジエチレントリアミン五酢酸                                    ３ｇ
チオ硫酸アンモニウム（７０％水溶液）                    １００ｍｌ
２−アミノ−５−メルカプト−１，３，４−チアジアゾール    ２．０ｇ
亜硫酸アンモニウム（４０％水溶液）                      ２７．５ｍｌ
水を加えて全量を１リットルとし、炭酸カリウム又は氷酢酸でｐＨ＝５．０に調整する。
〔安定化液タンク液及び補充液〕
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
塩化ビスマス（４５％水溶液）                            ０．６５ｇ
硫酸マグネシウム・７水塩                                  ０．２ｇ
ＰＶＰ                                                    １．０ｇ
アンモニア水（水酸化アンモニウム２５％水溶液）            ２．５ｇ
ニトリロ三酢酸・三ナトリウム塩                            １．５ｇ
水を加えて全量を１リットルとし、硫酸又はアンモニア水でｐＨ＝７．５に調整する。
このようにして得られた各試料の文字入り画像の鮮明性を、１０人の観察者により、下記基準で、１０段階評価で目視観察し、その平均点で文字入り画像鮮明性の目安とした。
１：画像と文字の区別が不十分である
５：画像と文字が区別できる
１０：画像と文字の区別が鮮明に区別できる
上記以外のランクについては、それぞれのランクを基準に等分に分割して設定した。
次いで、各試料の白地の白色度を、１０人の観察者で目視観察を行い、下記の基準に則り評価を行い、その平均ランクを求めた。
◎：白地が、極めて好ましい白色度である
○：白地が、良好な白色度である
△：白地の色相が、白色からやや差異が認められる
×：白地の色相が明らかに白色とは異なり、違和感がある
以上により得られた各評価結果を、下表に示す。
2004010216.tif 000013
【実施例２】  実施例１において、自動現像機としてコニカ（株）製ＮＰＳ−８６８Ｊ、処理ケミカルとしてＥＣＯＪＥＴ−Ｐを使用し、プロセス名ＣＰＫ−２−Ｊ１に従ってランニング処理した。実施例１と同様の評価を行った結果、本発明の試料は、比較の試料に比較して、文字画像鮮明度及び白色度に優れていることを確認することが出来た。
【産業上の利用の可能性】
以上のように、本発明に係るハロゲン化銀写真感光材料を用いた画像形成方法により、文字画像鮮明度が良好で、かつ白色度に優れた画像を実現する方法を提供することができる。
【国際調査報告】
2004010216.tif 000018
2004010216.tif 000019
2004010216.tif 000020
2004010216.tif 000021
2004010216.tif 000022
2004010216.tif 000023
2004010216.tif 000024
2004010216.tif 000025